(57)【要約】カラー受像管（１０）は、支持フレーム（２８）によって支持された張力をもつマスク（２４）をその内部に取り付けている。このマスクは、フレームに比べて、有意に低い熱膨張係数を有している。中間部材（４８）は、マスクとフレームとの間に配されている。中間部材を構成する材料は、マスクの材料に近い熱膨張係数を有している。各中間部材は、複数のコネクタ（５０）によって、フレームに結合されている。各コネクタは、延長されており、各コネクタの一端において、中間部材の一つに装着され、他端において、フレームに装着されている。
2004518261.tif 000002
【特許請求の範囲】
【請求項１】
支持フレーム（２８）によって支持されたテンションマスク（２４）が内部に取り付けられているカラー受像管（１０）であって：
前記マスクは、前記フレームよりも有意に低い熱膨張係数を有し；
前記マスクと前記フレームとの間に中間部材（４８）が配され；
前記中間部材は、前記マスクの熱膨張係数に近い熱膨張係数を有し；
各前記中間部材と前記フレームとが複数のコネクタ（５０）によって結合され；
各前記コネクタは、延長され；かつ
各前記コネクタの一端が前記中間部材のうちの一つに装着され、他端が前記フレームに装着されている；
ことを特徴とするカラー受像管。
【請求項２】
請求項１記載のカラー受像管であって、前記コネクタは、前記中間部材と前記フレームのいずれに対しても溶接されている剛性のワイヤーである、ところのカラー受像管。
【請求項３】
請求項１記載のカラー受像管であって、前記マスクは、インバールで形成され、また、前記フレームは、鋼で形成されている、ところのカラー受像管。
【発明の詳細な説明】
【０００１】
本発明は、テンションマスクを有するカラー受像管に関するものであり、特に、比較的低い熱膨張係数の材料で形成されたテンションマスクと有意に高い熱膨張係数を有する支持フレームとを連結する手段を有する受像管に関するものである。
【０００２】
〔従来技術〕
カラー受像管は、３本の電子ビームを生成して、それらビームを受像管のスクリーンへと向けるための電子銃を有している。このスクリーンは、受像管のフェイスプレートの内面に配され、異なる３つの色を発色する蛍光体の要素の配列からなるものである。シャドウマスク又はフォーカスマスクのいずれでもよい色選別電極は、電子銃とスクリーンとの間に挟まれていることによって、各々のビームは各ビームに対応する蛍光体要素に対してのみ当たるようになっている。シャドウマスクは、鋼などの金属の薄いシートであり、通常、受像管のフェイスプレートの内面に対してやや平行になるように配されている。
【０００３】
ある種類のカラー受像管は、該受像管のフェイスプレートパネル内に取り付けられたテンションマスクを有している。かかるマスクの張力を維持するには、マスクは、比較的大きい支持フレームに取り付けられることが必要である。このような受像管は、広く需要者に受け入れられることとなったものの、更なる改良の必要性は残っており、受像管内におけるマスクとフレームの組立体の重量及びコストを削減する必要がある。
【０００４】
マスクに必要とされる張力が削減されれば、より軽量なフレームを受像管のテンションマスクに使用できるということが提案されている。マスクに必要とされる張力を削減する一つの手法としては、熱膨張係数の低い材料でマスクを製造することが挙げられる。しかし、受像管の製造作業で行われる熱処理及び受像管の作動に際して、膨張の不一致を避けるべく、そのような低い熱膨張係数の材料で製造されたマスクには、それに近い熱膨張係数を有する材料の支持フレームが必要となる。熱膨張係数が低い金属材料は、比較的高価であり、マスクとフレームとを同一若しくはそれに近い低膨張材料で製造することは、コストをやや高くさせてしまうのである。よって、低い熱膨張係数のテンションマスクとより高い熱膨張係数の支持フレームとを組み合わせたものを使用することが望まれ、また、テンションマスクとその支持フレームとの間の熱膨張係数に大きな不一致が存在する場合における問題を解消することが望まれる。
【０００５】
〔発明の概要〕
本発明は、支持フレームによって支持された張力をもつマスクが内部に取り付けられているカラー受像管を提供するものである。このマスクは、フレームに比べて、有意に低い熱膨張係数を有している。中間部材は、マスクとフレームとの間に配されている。中間部材を構成する材料は、マスクの材料に近い熱膨張係数を有している。各中間部材は、複数のコネクタによって、フレームに結合されている。各コネクタは、延長されており、各コネクタの一端は、中間部材の一つに装着され、他端は、フレームに装着されている。
【０００６】
〔好ましい実施例の詳細な説明〕
図１は、ガラスのエンベロープ１１を有するカラー受像管１０を示し、カラー受像管１０は、じょうご部１５を介して連結されている長方形フェイスプレートパネル１２と管状ネック部１４とを有している。じょうご部１５は、伝導内膜（図示されていない）を有し、陽極ボタン１６からパネル１２及びネック部へと延在する。パネル１２は、ほぼ円筒形又は平らなフェイスプレート１８及び周縁フランジ若しくは側壁２０を有し、ガラスフリット部をもって、じょうご部１５に接着されている。三色蛍光スクリーン２２は、フェイスプレート１８の内面によって支えられている。スクリーン２２は、三つ組で構成された蛍光線を有するラインスクリーンであり、それぞれの三つ組は三色の各色の蛍光線を有している。色選別テンションマスクフレーム組立体２４は、スクリーン２２に対して、所定の間隔をもって、着脱可能に取り付けられている。図１の点線で概略的に示されている電子銃２６は、ネック部１４内の中央に取り付けられている。電子銃２６は、中央ビームと２本のサイドビーム（外部ビーム）からなる３本のインライン電子ビームを生成し、それらビームをテンションマスクフレーム組立体２４からスクリーン２２までの収束路へと向けるのである。
【０００７】
この受像管１０は、例えば、じょうご部とネック部との接合部の近傍に図示されているヨーク３０のように外部の磁気偏向ヨークをもって使用されるように設計されている。作動開始において、ヨークは、三本のビームを磁界に配し、これらビームは、スクリーン上の長方形ラスターにおいて、水平方向及び垂直方向に走査される。
【０００８】
図２に示されているように、テンションマスクフレーム組立体２４は、周縁フレーム２８と連結され、該周縁フレーム２８は、２つの長辺３２及び３４と、２つの短辺３６及び３８とを有している。２つの長辺３２及び３４は、受像管中央の長軸Ｘに平行であり、また、２つの短辺３６及び３８は、受像管中央の短軸Ｙに平行である。テンションマスク２４は、アパーチャ部を有し、該アパーチャ部は、マスクの短軸に平行である多数の延長されたスリットを設けた金属帯片を有している。
【０００９】
図３及び図４において更に詳細に描かれているように、フレーム２８の各々の２つの長辺３２及び３４（図示されていない）は、内部フランジ４３及び外部フランジ４４を有するＬ字部４０を含んでいる。Ｌ字部４０の２つのフランジの間に傾斜部４２が延在しており、これにより、三角形断面が形成される。図３、図４、及び図５に示されているように、中間部材４８は、各Ｌ字部４０の外部フランジ４４に対し、可動に取り付けられている。各中間部材４８は、長辺３２及び３４の長さ分まで延在し、外部フランジ４４に重なっている。中間部材４８は、該中間部材４８の各端に配されたリベット４９によって、フレーム２８の外部フランジ４４に対して、摺動可能に固着されている。リベット４９は、外部フランジ４４に装着されているが、中間部材４８の延長されたスロットアパーチャに載っている。リベットの役割は、中間部材４８がフレーム２８に当接した状態を維持し、中間部材のフレームに対する一切の捻り動作を制限することである。また、中間部材４８の外面から内部フランジ４３の表面に延在している複数の延長されたコネクタ５０が中間部材４８とフレーム２８とを結合している。中間部材４８の対向する両端は、それぞれフレーム２８及び中間部材４８に溶接されている。中間部材４８は、マスク２４に近い熱膨張係数の低い材料で形成されている。よって、マスクの膨張を引き起こす温度変化があっても、マスク２４の位置は、中間部材４８との関係で、ほとんど影響されない。例えば、熱膨張係数の低いマスクが、それに近い熱膨張係数の中間部材を設けずに取り付けられている場合には、受像管の組み立てに際して、受像管の長軸方向に著しく伸張することになり、また、マスクに永久的なしわが形成されることになる。また、熱膨張係数の低い中間部材が複数の長形コネクタを設けずに取り付けられている場合には、受像管の作業中に際して、フレーム及びマスクにおける修正不能な歪みを生じさせ、これにより、表示される画像が歪むことになる。
【００１０】
フレーム２８の短辺３６及び３８は、長方形断面を有する管体５２として構成されている。これら管部５２の端は、４つの離間部５４において、内部フランジ４３の端に結合している。山形取付ブラケット５５は、フレーム２４に取り付けられ、フレームの４つの角に配されている。
【００１１】
一つの実施例では、サイド管部５２、離間部５４、Ｌ字部４０及び傾斜部４２は、４１３０スチールで形成され、中間部材４８は、インバールで形成されている。サイド管部５２は、２．５４ ｃｍ×１．２７ ｃｍで、１．２４ ｍｍの厚さ（１ ｉｎｃｈ×１／２ ｉｎｃｈで、０．０４９ ｉｎｃｈの厚さ）を有している。離間部５４は、１．５９ ｃｍ×１．５９ ｃｍで、１．５２ ｍｍの厚さ（５／８ ｉｎｃｈ×５／８ ｉｎｃｈで、０．０６０ ｉｎｃｈの厚さ）を有している。Ｌ字部４０及び傾斜部４２は、１．２７ ｍｍ（０．０５０ ｉｎｃｈ）の厚さを有している。中間部材４８は、３．０５ ｍｍ（０．１２０ ｉｎｃｈ）の厚さを有している。コネクタ５０の間隔は、およそ５．０８ ｃｍ（２．０ ｉｎｃｈ）である。一般に、フレーム組立体の全体を構成する部品の厚さは、マスクの厚さ、マスク−フレーム組立体全体の弾力性、及び、期待される歪みずれ限度によって、決定される。
【００１２】
ほとんどの実施例では、コネクタ５０の全てを同じ材料で形成することができる。しかし、異なる構造を有するマスク、フレーム、及び中間部材に対応させるべく、コネクタ５０を異なる材料、形状、又は大きさで形成した他の実施例も存在する。
【００１３】
上記フレームの短辺を空洞状の長方形管として示されているが、これら短辺をＬ字形状、Ｃ字形状、或いは三角形状などの断面を有したものとして形成することもできる。更に、フレーム２８の長辺が傾斜部４２とＬ字部４０からなる三角形断面を有するものとして示されているが、Ｃ字形状やＬ字形状のように他の形状を採用することも可能である。
【図面の簡単な説明】
【図１】
本発明に係るカラー受像管の軸による側断面図である。
【図２】
テンションマスクフレーム組立体の斜視図である。
【図３】
図２のマスク−フレーム組立体の部分的な斜視図である。
【図４】
図２の線４−４によるマスク−フレーム組立体の断面図である。
【図５】
図２の線５−５によるマスク−フレーム組立体の正面図である。
【国際公開パンフレット】
2004518261.tif 000003
2004518261.tif 000004
2004518261.tif 000005
2004518261.tif 000006
2004518261.tif 000007
2004518261.tif 000008
2004518261.tif 000009
2004518261.tif 000010
2004518261.tif 000011
【国際公開パンフレット（コレクトバージョン）】
2004518261.tif 000012
【国際公開パンフレット（コレクトバージョン）】
2004518261.tif 000013
【国際調査報告】
2004518261.tif 000014
2004518261.tif 000015
2004518261.tif 000016